(57)【要約】【課題】より正確に磁力を用いてレンズの位置を調整する。【解決手段】光軸方向に移動可能なレンズ５３を収納する鏡筒５１の側面には、光軸Ａ１と平行な方向に延びるガイド穴５１Ｅが設けられている。段付きネジ６０の頭の先端部６０Ａに磁石６１が接着されて構成される接触子７１は、ガイド穴５１Ｅに挿入され、鏡筒５１の周方向における位置が固定され、ガイド穴５１Ｅに沿って光軸Ａ１と平行な方向に移動することにより、レンズ５３を光軸Ａ１方向に移動させる。強い磁性体により構成されるカム６２は、鏡筒５１に嵌合され、鏡筒５１の周りを回転することにより光軸Ａ１と平行な方向の運動を接触子７１に与える案内面６２Ａを有する。案内面６２Ａは、ガイド穴５１Ｅから鏡筒５１の外周に突出している接触子７１の磁石６１の側面の一部と接触している。本発明は、例えば、対物レンズに適用できる。【選択図】図２
2010014838.tif 000002
【特許請求の範囲】
【請求項１】
光軸方向に移動可能な可動レンズを備える対物レンズにおいて、
前記可動レンズを収納し、前記光軸と平行な方向に延びる開口部が側面に設けられている筒状の筐体と、
前記開口部に挿入され、前記筐体の周方向における位置が固定されるとともに、前記開口部に沿って前記光軸と平行な方向に移動可能な部材であって、前記光軸と平行な方向に移動することにより前記可動レンズを前記光軸方向に移動させる部材である接触子と、
前記筐体に嵌合され、前記筐体の周りを回転することにより前記光軸と平行な方向の運動を前記接触子に与える第１の案内面を有するカムと
を備え、
前記第１の案内面は、前記接触子の前記開口部から突出している部分に接触し、
前記第１の案内面および前記接触子の前記第１の案内面と接触する部分のうち少なくとも一方が磁石により構成され、他方が磁石または磁性体により構成される
ことを特徴とする対物レンズ。
【請求項２】
前記カムは、前記第１の案内面と対向し、前記筐体の周りを回転することにより前記光軸と平行な方向の運動を前記接触子に与える第２の案内面を有し、
前記接触子は、前記第１の案内面と前記第２の案内面の間に挿入され、前記第１の案内面および前記第２の案内面に対する向きを変えることができ、
前記第１の案内面および前記第２の案内面が磁石により構成されている場合、前記接触子が第１の方向を向いている状態において、前記接触子の前記第１の案内面と対向する部分が磁石または磁性体により構成され、前記接触子の前記第２の案内面と対向する部分が非磁性体により構成され、前記接触子が前記第１の方向とは異なる第２の方向を向いている状態において、前記接触子の前記第１の案内面と対向する部分が非磁性体により構成され、前記接触子の前記第２の案内面と対向する部分が磁石または磁性体により構成され、前記第１の案内面および前記第２の案内面が磁性体により構成されている場合、前記接触子が前記第１の方向を向いている状態において、前記接触子の前記第１の案内面と対向する部分が磁石により構成され、前記接触子の前記第２の案内面と対向する部分が磁性体または非磁性体により構成され、前記接触子が前記第２の方向を向いている状態において、前記接触子の前記第１の案内面と対向する部分が磁性体または非磁性体により構成され、前記接触子の前記第２の案内面と対向する部分が磁石により構成され、
前記接触子は、前記第１の方向を向いている場合、前記第１の案内面に接触し、前記第１の案内面に沿って移動し、前記第２の方向を向いている場合、前記第２の案内面に接触し、前記第２の案内面に沿って移動する
ことを特徴とする請求項１に記載の対物レンズ。
【請求項３】
光軸方向に移動可能な可動レンズを備える対物レンズであって、
前記可動レンズを収納し、前記光軸と平行な方向に延びる開口部が側面に設けられている筒状の筐体と、
前記開口部に挿入され、前記筐体の周方向における位置が固定されるとともに、前記開口部に沿って前記光軸と平行な方向に移動可能な部材であって、前記光軸と平行な方向に移動することにより前記可動レンズを前記光軸方向に移動させる部材である接触子と、
前記筐体に嵌合され、前記筐体の周りを回転することにより前記光軸と平行な方向の運動を前記接触子に与える案内面を有するカムと
を備え、
前記案内面は、前記接触子の前記開口部から突出している部分に接触し、
前記案内面および前記接触子の前記案内面と接触する部分のうち少なくとも一方が磁石により構成され、他方が磁石または磁性体により構成される
対物レンズを備えることを特徴とする顕微鏡
【発明の詳細な説明】
【技術分野】
【０００１】
本発明は、対物レンズおよび顕微鏡に関し、特に、磁力を用いてレンズの位置決めを行う対物レンズおよび顕微鏡に関する。
【背景技術】
【０００２】
従来、レンズの外周部に隣接する回転駆動筒を回転駆動し、回転駆動筒の外周面にほぼ螺旋状に形設した溝に磁性材帯片を装着した駆動部に、レンズの外周部に突設された磁石からなる従動部を追従させることにより、レンズを光軸方向に動かすことが提案されている（例えば、特許文献１参照）。
【０００３】
【特許文献１】特開平８−９４９０２号公報
【発明の開示】
【発明が解決しようとする課題】
【０００４】
しかしながら、特許文献１に記載の発明では、回転駆動筒の溝の寸法とレンズの外周部に突設された従動部の寸法のズレがある場合、回転駆動筒の同じ溝の位置に対してレンズの従属部が引き付けられる位置が、光軸方向の溝の幅だけ変動する可能性があり、レンズの光軸方向に対する位置決め精度が低下してしまう恐れがある。
【０００５】
本発明は、このような状況を鑑みてなされたものであり、より正確に磁力を用いてレンズの位置を調整することができるようにするものである。
【課題を解決するための手段】
【０００６】
本発明の第１の側面の対物レンズは、光軸方向に移動可能な可動レンズを備える対物レンズであって、前記可動レンズを収納し、前記光軸と平行な方向に延びる開口部が側面に設けられている筒状の筐体と、前記開口部に挿入され、前記筐体の周方向における位置が固定されるとともに、前記開口部に沿って前記光軸と平行な方向に移動可能な部材であって、前記光軸と平行な方向に移動することにより前記可動レンズを前記光軸方向に移動させる部材である接触子と、前記筐体に嵌合され、前記筐体の周りを回転することにより前記光軸と平行な方向の運動を前記接触子に与える第１の案内面を有するカムとを備え、前記第１の案内面は、前記接触子の前記開口部から突出している部分に接触し、前記第１の案内面および前記接触子の前記第１の案内面と接触する部分のうち少なくとも一方が磁石により構成され、他方が磁石または磁性体により構成される。
【０００７】
本発明の第１の側面においては、カムの第１の案内面と接触子が磁力により接触し、可動レンズの光軸を中心にして対物レンズの筐体の周りを前記カムが回転することにより、第１の案内面により光軸と平行な方向の運動が前記接触子に与えられ、前記可動レンズが前記光軸方向に移動する。
【０００８】
本発明の第２の側面の顕微鏡は、光軸方向に移動可能な可動レンズを備える対物レンズであって、前記可動レンズを収納し、前記光軸と平行な方向に延びる開口部が側面に設けられている筒状の筐体と、前記開口部に挿入され、前記筐体の周方向における位置が固定されるとともに、前記開口部に沿って前記光軸と平行な方向に移動可能な部材であって、前記光軸と平行な方向に移動することにより前記可動レンズを前記光軸方向に移動させる部材である接触子と、前記筐体に嵌合され、前記筐体の周りを回転することにより前記光軸と平行な方向の運動を前記接触子に与える案内面を有するカムとを備え、前記案内面は、前記接触子の前記開口部から突出している部分に接触し、前記案内面および前記接触子の前記案内面と接触する部分のうち少なくとも一方が磁石により構成され、他方が磁石または磁性体により構成される対物レンズを備えることを特徴とする。
【０００９】
本発明の第２の側面においては、カムの案内面と接触子が磁力により接触し、可動レンズの光軸を中心にして対物レンズの筐体の周りを前記カムが回転することにより、案内面により光軸と平行な方向の運動が前記接触子に与えられ、前記可動レンズが前記光軸方向に移動する。
【発明の効果】
【００１０】
本発明によれば、より正確に磁力を用いてレンズの位置を調整することができる。
【発明を実施するための最良の形態】
【００１１】
以下、図面を参照して本発明を適用した実施の形態について説明する。
【００１２】
図１は、本発明を適用した顕微鏡の一実施の形態を示す外観図である。ここで、図１の倒立型の顕微鏡１について簡単に説明する。
【００１３】
レボルバ１４には、複数の対物レンズが取り付けられており、ユーザは、レボルバ１４を回転させて、ステージ１３上に設置された標本の観察に用いる対物レンズを選択する。なお、図１においては、図を分かりやすくするために、１つの対物レンズ１５のみを図示している。また、ユーザは、操作部２０を操作することにより、ステージ１３の水平方向（X軸およびY軸方向）の位置を調整し、ステージ１３上に設置された標本（図示せず）の観察位置を調整する。さらに、ユーザは、本体１１の側面に設けられている焦準ノブ２１によりピント合わせを行う。
【００１４】
また、顕微鏡１においては、透過照明と落射照明による標本の観察が可能である。具体的には、照明支柱１２の上端に設けられている透過照明用装置１６から発せられた透過照明光は、コンデンサレンズ１７を介して、上方からステージ１３上に設置された標本に照射される。そして、ユーザは、標本を透過した透過照明光による像を、接眼鏡筒１９を介して観察したり、本体１１のカメラポート２２に装着した図示せぬカメラにより撮影する。
【００１５】
また、本体１１に取り付けられている不図示の落射照明装置から発せられた落射照明光は、図示せぬミラーなどによりその進行方向が変えられ、最終的に対物レンズ１５を介して、下方からステージ１３上に設置された標本に照射される。そして、ユーザは、落射照明光を照射することにより標本により発せられたり、標本により反射された光の像を、接眼鏡筒１９を介して観察したり、本体１１のカメラポート２２に装着したカメラにより撮影する。また、本体１１には、各種装置が取り付けられるハブポート１８が設けられている。
【００１６】
次に、図２および図３を参照して、本発明を適用した対物レンズ１５の詳細について説明する。図２は、対物レンズ１５の断面図であり、図３は、対物レンズ１５の端面カム６２の付近を図２の矢印Ａ３の方向から見た図である。ただし、図３において、ローレット環６５の図示は省略している。なお、以下、対物レンズ１５の物体と対向する側（物体側）を対物レンズ１５の先端とし、レボルバ１４に取り付けられる側（像側）を対物レンズ１５の後端とする。
【００１７】
対物レンズ１５は、スライドガラスの厚みの誤差による収差を補正するために、レンズ群の一部のレンズの光軸方向の位置を補正環により調整可能な対物レンズである。
【００１８】
対物レンズ１５の筐体を構成する鏡筒５１の内部には、レンズ５２乃至５５の４群のレンズが収納されている。レンズ５２乃至５５は、光軸が一致するようにレンズ室５６乃至５８により保持されている。
【００１９】
鏡筒５１の内側には、物体側から順に、レンズ室５６、レンズ室５７、レンズ室５８が嵌合されている。
【００２０】
レンズ５２を保持するレンズ室５６は、鏡筒５１の先端部の内周に設けられているネジ部５１Ａにネジ嵌合され、鏡筒５１の先端部に固定されている。
【００２１】
レンズ５３を保持するレンズ室５７は、矢印Ａ２により示される対物レンズ１５の光軸Ａ１の方向に移動可能となるように鏡筒５１の内側に嵌合されている。
【００２２】
レンズ５４およびレンズ５５を保持するレンズ室５８は、鏡筒５１の内周に設けられている突起部５１Ｂと、鏡筒５１の後端部の内周に設けられているネジ部５１Ｃにネジ嵌合されている押え環５９により、その位置が固定されている。
【００２３】
鏡筒５１の後端部の外周には、対物レンズ１５をレボルバ１４に取り付けるためのネジ部５１Ｄが設けられている。
【００２４】
レンズ室５７の外周には、段付きネジ６０が締結され、さらに、段付きネジ６０の頭の先端部６０Ａには、リング状の磁石６１が接着されている。なお、以下、段付きネジ６０と磁石６１を組み合わせたものを接触子７１と称する。接触子７１は、鏡筒５１の側面に設けられている開口部であるガイド穴５１Ｅに挿入されている。
【００２５】
鏡筒５１の外周には、物体側から順に、端面カム６２、指標環６３が嵌合されている。
【００２６】
端面カム６２の外周には、外周がローレット加工されている補正環としてのローレット環６５が嵌合され、小ネジ６６により固定されている。端面カム６２は、ローレット環６５とともに光軸Ａ１を中心に鏡筒５１の外周に沿って回転できるように鏡筒５１に嵌合されている。また、端面カム６２およびローレット環６５は、鏡筒５１の面５１Ｆと、小ネジ６４により鏡筒５１の外周に固定されている指標環６３とに挟まれ、矢印Ａ２の方向の位置が固定されている。
【００２７】
図３に示されるように、鏡筒５１のガイド穴５１Ｅは、長手方向が光軸Ａ１と平行な矢印Ａ１１の方向に延びる小判形の穴である。ガイド穴５１Ｅの横方向（長手方向と垂直な方向）の幅と磁石６１の直径とはほぼ一致しており、これにより、接触子７１の鏡筒５１の周方向における位置が固定される。また、接触子７１は、ガイド穴５１Ｅに沿って矢印Ａ１１の方向に移動可能とされている。
【００２８】
端面カム６２の第１の案内面である案内面６２Ａは、開口部であるガイド穴５１Ｅに対して垂直な面で、ガイド穴５１Ｅの上を斜め方向に横切っている。また、案内面６２Ａは、ガイド穴５１Ｅから鏡筒５１の外周に突出している接触子７１（磁石６１）の側面の一部と接触している。
【００２９】
ローレット環６５を光軸Ａ１回りに鏡筒５１の周りを回転させると、小ネジ６６によりローレット環６５と接続されている端面カム６２も、光軸Ａ１回りに鏡筒５１の周りを回転する。このとき、案内面６２Ａのガイド穴５１Ｅの上を横切る位置が、矢印Ａ１１の方向に移動する。
【００３０】
端面カム６２は強い磁性体（例えば、酸化鉄やフェライト等）でできており、磁石６１と案内面６２Ａとの間に働く磁力により、接触子７１と案内面６２Ａが接触した状態が保持される。そして、端面カム６２が鏡筒５１の周りを回転すると、案内面６２Ａにより光軸Ａ１と平行な矢印Ａ１１の方向の運動が接触子７１に与えられ、接触子７１は案内面６２Ａに沿って矢印Ａ１１の方向に移動する。
【００３１】
これにより、レンズ室５７を介して接触子７１に接続されているレンズ５３が矢印Ａ２の方向に移動し、レンズ５３の光軸Ａ１の方向の位置を調整することができる。また、端面カム６２の回転位置に対して接触子７１の位置が一意に定まるので、レンズ５３の光軸Ａ１方向の位置を正確に調整することができる。さらに、磁力を用いて案内面６２Ａと接触子７１の接触を保持することにより、従来のように、鏡筒５１の後端に設けたバネなどを用いて案内面６２Ａに接触子７１を押しつける場合と比較して、対物レンズ１５を小型化かつ軽量化することが可能になる。
【００３２】
なお、磁石６１の形状はリング状（円筒状）でなく、他の形状にするようにしてもよい。ただし、リング状にしてガイド穴５１Ｅや案内面６２Ａと接触する面積を少なくした方が、磁石６１が滑りやすくなり、操作性が向上する。
【００３３】
また、磁石６１は、回転可能としてもよい。これによれば、磁石６１と案内面６２Ａとの接触部の摩擦力を低減できる。
【００３４】
また、以上の説明では、案内面６２Ａが磁性体により構成され、接触子７１の案内面６２Ａと接する部分が磁石により構成される例を示したが、本発明の実施の形態では、案内面６２Ａおよび接触子７１の案内面６２Ａと接触する部分のうち少なくとも一方が磁石により構成され、他方が磁石または磁性体により構成されるようにすればよい。例えば、端面カム６２の案内面６２Ａを磁石により構成し、かつ、接触子７１の磁石６１の代わりに強磁性体の部材を用いるようにしてもよい。
【００３５】
次に、図４乃至図６を参照して、本発明を適用した対物レンズの第２の実施の形態について説明する。図４は、対物レンズ１０１の断面図であり、図５および図６は、対物レンズ１０１の円筒カム１１７の付近を図４の矢印Ａ２３の方向から見た図である。ただし、図５および図６において、ローレット環１２０およびノブ１１６の図示は省略している。なお、図４において、図２と対応する部分には、同じ符号を付してあり、その説明は適宜省略する。
【００３６】
対物レンズ１０１は、図２の対物レンズ１５と同様に、スライドガラスの厚みの誤差による収差を補正するために、レンズ群の一部のレンズの光軸方向の位置を補正環により調整可能な対物レンズであり、顕微鏡１のレボルバ１４に取り付けて使用することが可能である。
【００３７】
対物レンズ１０１は、図２および図３の対物レンズ１５と比較して、鏡筒５１、レンズ室５７、段付きネジ６０、磁石６１、端面カム６２、指標環６３、小ネジ６４、ローレット環６５、および、小ネジ６６の代わりに、鏡筒１１１、レンズ室１１２、段付きネジ１１３、磁石１１４、部材１１５、ノブ１１６、円筒カム１１７、指標環１１８、小ネジ１１９、ローレット環１２０、および、小ネジ１２１が設けられている。
【００３８】
対物レンズ１０１の筐体を構成する鏡筒１１１の内部には、レンズ５２乃至５５の４群のレンズが収納されている。レンズ５２乃至５５は、光軸が一致するようにレンズ室５６、レンズ室１１２、および、レンズ室５８により保持されている。
【００３９】
鏡筒１１１の内側には、物体側から順に、レンズ室５６、レンズ室１１２、レンズ室５８が嵌合されている。
【００４０】
レンズ５２を保持するレンズ室５６は、鏡筒１１１の先端部の内周に設けられているネジ部１１１Ａにネジ嵌合され、鏡筒１１１の先端部に固定されている。
【００４１】
レンズ５３を保持するレンズ室１１２は、矢印Ａ２２により示される対物レンズ１０１の光軸Ａ２１の方向に移動可能となるように鏡筒１１１の内側に嵌合されている。
【００４２】
レンズ５４およびレンズ５５を保持するレンズ室５８は、鏡筒１１１の内周に設けられている突起部１１１Ｂと、鏡筒１１１の後端部の内周に設けられているネジ部１１１Ｃにネジ嵌合されている押え環５９により、その位置が固定されている。
【００４３】
鏡筒１１１の後端部の外周には、対物レンズ１０１をレボルバ１４に取り付けるためのネジ部１１１Ｄが設けられている。
【００４４】
レンズ室１１２の外周には、段付きネジ１１３が締結され、さらに、段付きネジ１１３の頭の先端部１１３Ａには、半リング状の磁石１１４および半リング状の部材１１５が接着されている。部材１１５は、磁石とは異なる磁性体または非磁性体により構成される。また、磁石１１４と部材１１５を合わせることにより、図２の磁石６１と同じ形状になる。
【００４５】
段付きネジ１１３の先端部１１３Ａ、磁石１１４および部材１１５の上部には、ノブ１１６が接着されている。段付きネジ１１３の先端部１１３Ａは１８０度回転することができ、ユーザは、ノブ１１６を回転させることにより、段付きネジ１１３の先端部１１３Ａ、磁石１１４および部材１１５を１８０度回転させることができる。なお、以下、段付きネジ１１３、磁石１１４、部材１１５およびノブ１１６を組み合わせたものを接触子１３１と称する。接触子１３１は、鏡筒１１１の側面に設けられている開口部であるガイド穴１１１Ｅに挿入されている。
【００４６】
磁石１１４，１１５を１８０度回転させる機構としては、例えば、磁石１１４，１１５からなるリング状の部材の中心を回転軸として、回転させ、更に回転軸に、例えば、クリック機構を備え、磁石１１４，１１５の位置決めを適確に行えるようにしてもよい。
【００４７】
鏡筒１１１の外周には、物体側から順に、円筒カム１１７、指標環１１８が嵌合されている。
【００４８】
円筒カム１１７の外周には、外周がローレット加工されている補正環としてのローレット環１２０が嵌合され、小ネジ１２１により固定されている。円筒カム１１７は、ローレット環１２０とともに光軸Ａ２１を中心に鏡筒１１１の外周に沿って回転できるように鏡筒１１１に嵌合されている。また、円筒カム１１７およびローレット環１２０は、鏡筒１１１の面１１１Ｆと、小ネジ１１９により鏡筒１１１の外周に固定されている指標環１１８とに挟まれ、矢印Ａ２２の方向の位置が固定されている。
【００４９】
ローレット環１２０は、ガイド穴１１１Ｅと同じ形状の開口部１２０Ａを有し、円筒カム１１７に取り付けられた状態で、鏡筒１１１のガイド穴１１１Ｅとローレット環１２０の開口部１２０Ａの位置が一致する。
【００５０】
図５に示されるように、鏡筒１１１の側面に設けられているガイド穴１１１Ｅは、長手方向が光軸Ａ２１と平行な矢印Ａ３１の方向に延びる小判形の穴である。上述したように、図５において図示が省略されているローレット環１２０の開口部１２０Ａも同じ形状である。ガイド穴１１１Ｅおよび開口部１２０Ａの横方向（長手方向と垂直な方向）の幅と、磁石１１４と部材１１５により形成されるリングの直径、および、ノブ１１６の下部１１６Ａの直径とはほぼ一致しており、これにより、接触子１３１の鏡筒１１１の周方向の位置が固定される。また、接触子１３１は、ガイド穴１１１Ｅおよび開口部１２０Ａに沿って矢印Ａ３１の方向に移動可能とされる。
【００５１】
円筒カム１１７の案内面１１７Ａ、および、案内面１１７Ａに対向する案内面１１７Ｂは、ガイド穴１１１Ｅに対して垂直な面で、互いに平行で、ガイド穴１１１Ｅの上を斜め方向に横切っている。また、案内面１１７Ａと案内面１１７Ｂの間の距離は、磁石１１４と部材１１５により形成されるリングの直径より長く、かつ、ガイド穴１１１Ｅの長手方向の長さより短い。
【００５２】
ローレット環１２０を光軸Ａ２１回りに鏡筒１１１の周りを回転させると、小ネジ１２１によりローレット環１２０と接続されている円筒カム１１７も、光軸Ａ２１回りに鏡筒１１１の周りを回転する。このとき、案内面１１７Ａおよび案内面１１７Ｂのガイド穴１１１Ｅの上を横切る位置が、矢印Ａ３１の方向に移動する。
【００５３】
接触子１３１は、案内面１１７Ａと案内面１１７Ｂとの間に挿入されており、ノブ１１６を回転し、段付きネジ１１３の先端部１１３Ａ、磁石１１４および部材１１５を１８０度回転させることにより、案内面１１７Ａおよび案内面１１７Ｂに対する向きを変えることができる。
【００５４】
円筒カム１１７は強い磁性体でできている。従って、図５に示されるように、磁石１１４が案内面１１７Ａの方向を向いている場合、換言すれば、接触子１３１の案内面１１７Ａと対向する部分が磁石により構成され、接触子１３１の案内面１１７Ｂと対向する部分が磁性体または非磁性体により構成される場合、磁石１１４と案内面１１７Ａとの間に働く磁力により、接触子１３１と案内面１１７Ａが接触した状態が保持される。そして、円筒カム１１７が鏡筒１１１の周りを回転すると、光軸Ａ２１と平行な矢印Ａ３１の方向の運動が接触子１３１に与えられ、接触子１３１は、案内面１１７Ａに沿って矢印Ａ３１の方向に移動する。これにより、レンズ室１１２を介して接触子１３１に接続されているレンズ５３が矢印Ａ２２の方向に移動し、レンズ５３の光軸Ａ２１の方向の位置を調整することができる。
【００５５】
一方、図６に示されるように、磁石１１４が案内面１１７Ｂの方向を向いている場合、換言すれば、接触子１３１の案内面１１７Ａと対向する部分が磁性体または非磁性体により構成され、接触子１３１の案内面１１７Ｂと対向する部分が磁石により構成される場合、磁石１１４と案内面１１７Ｂとの間に働く磁力により、接触子１３１と案内面１１７Ｂが接触した状態が保持される。そして、円筒カム１１７が鏡筒１１１の周りを回転すると、光軸Ａ２１と平行な矢印Ａ３１の方向の運動が接触子１３１に与えられ、接触子１３１は、案内面１１７Ｂに沿って矢印Ａ３１の方向に移動する。これにより、レンズ室１１２を介して接触子１３１に接続されているレンズ５３が矢印Ａ２２の方向に移動し、レンズ５３の光軸Ａ２１の方向の位置を調整することができる。
【００５６】
このように、案内面１１７Ａおよび案内面１１７Ｂの２つの案内面を設けることにより、対物レンズのサイズを大きくすることなく、レンズ５３の光軸Ａ２１方向の位置を調整できる範囲を２段階に分け、広げることができる。
【００５７】
なお、以上の説明では、案内面１１７Ａおよび１１７Ｂが磁性体により構成され、接触子１３１の案内面１１７Ａおよび案内面１１７Ｂと接する部分が、磁石１１４、および、磁性体または非磁性体からなる部材１１５により構成される例を示したが、本発明の実施の形態においては、他の構成とすることも可能である。
【００５８】
例えば、円筒カム１１７を磁石により構成し、部材１１５を非磁性体により構成したり、または、円筒カム１１７を磁石により構成し、磁石１１４の代わりに磁性体の部材を用い、部材１１５を非磁性体により構成するようにしてもよい。この場合、接触子１３１が第１の方向を向いている状態において、接触子１３１の案内面１１７Ａと対向する部分が磁石または磁性体により構成され、接触子１３１の案内面１１７Ｂと対向する部分が非磁性体により構成され、接触子１３１が第１の方向から１８０度回転した第２の方向を向いている状態において、接触子１３１の案内面１１７Ａと対向する部分が非磁性体により構成され、接触子１３１の案内面１１７Ｂと対向する部分が磁石または磁性体により構成されるようになる。
【００５９】
本発明によれば、対物レンズの光軸方向に対し、磁力による接触を実現しているので、対物レンズの光軸方向の位置決めを、より簡単な構成で実現することが可能となる。
【００６０】
なお、本発明の実施の形態は、上述した実施の形態に限定されるものではなく、本発明の要旨を逸脱しない範囲において種々の変更が可能である。
【図面の簡単な説明】
【００６１】
【図１】本発明を適用した顕微鏡の一実施の形態を示す外観図である。
【図２】本発明を適用した対物レンズの第１の実施の形態を示す断面図である。
【図３】カムと接触子の動きを説明するための図である。
【図４】本発明を適用した対物レンズの第２の実施の形態を示す断面図である。
【図５】カムと接触子の動きを説明するための図である。
【図６】カムと接触子の動きを説明するための図である。
【符号の説明】
【００６２】
１  顕微鏡，  １５  対物レンズ，  ５１  鏡筒，  ５１Ｅ  ガイド穴，  ５２乃至５５  レンズ，  ５６乃至５８  レンズ室，  ６０  段付きネジ，  ６１  磁石，  ６２  端面カム，  ６２Ａ  案内面，  ６３  指標環，  ６４  小ネジ，  ６５  ローレット環，  ６６  小ネジ，  ７１  接触子，  １０１  対物レンズ，  １１１  鏡筒，  １１１Ｅ  ガイド穴，  １１２  レンズ室，  １１３  段付きネジ，  １１４  磁石，  １１５  部材，  １１６  ノブ，  １１７  円筒カム，  １１７Ａ，１１７Ｂ  案内面，  １１８  指標環，  １１９  小ネジ，  １２０  ローレット環，  １２１  小ネジ，  １３１  接触子
【図１】
2010014838.tif 000003
【図２】
2010014838.tif 000004
【図３】
2010014838.tif 000005
【図４】
2010014838.tif 000006
【図５】
2010014838.tif 000007
【図６】
2010014838.tif 000008